(57)【要約】【課題】横方向の曲げに強い縦樋の支持構造を提供する。【解決手段】縦樋１を建物の壁３に固定するための支持構造１０であって、縦樋１を保持するための保持部材１２と、この保持部材１２と連結し、建物の壁３に固定するための固定部材１４と、この保持部材１２と固定部材１４の少なくとも連結部分Ｓの外側に設けられ、少なくとも連結部分Ｓの横方向の曲げ剛性を高めるための補強部材１６とを備えるようにする。【選択図】図１
2018053503.tif 000002
【特許請求の範囲】
【請求項１】
縦樋を建物の壁に固定するための支持構造であって、
縦樋を保持するための保持部材と、この保持部材と連結し、建物の壁に固定するための固定部材と、この保持部材と固定部材の少なくとも連結部分の外側に設けられ、少なくとも連結部分の横方向の曲げ剛性を高めるための補強部材とを備えることを特徴とする縦樋の支持構造。
【請求項２】
補強部材の建物の壁に平行な鉛直断面の形状は、連結部分を左右両側から挟み込むように左右に配置された一対のコの字状、連結部分の上または下から被せるように配置されたハット状、連結部分の周囲を囲む矩形状のいずれかの形状であることを特徴とする請求項１に記載の縦樋の支持構造。
【請求項３】
保持部材、固定部材、補強部材を一体的に連結する連結部材をさらに備えることを特徴とする請求項１または２に記載の縦樋の支持構造。
【請求項４】
保持部材は縦樋から壁に向けて延出する鉛直板状の一対の接続片を有するとともに、固定部材は鉛直板状の羽板部を有しており、羽板部と一対の接続片と補強部材にはそれぞれ対応する位置に挿通孔があけられており、
連結部材は、羽板部を挟み込んだ一対の接続片とこれらの周囲を囲むように配置された補強部材とを、各挿通孔に挿通して連結することを特徴とする請求項３に記載の縦樋の支持構造。
【請求項５】
補強部材と連結部分との間に、補強部材と連結部分との間の隙間をなくすための調整部材をさらに備えることを特徴とする請求項１〜４のいずれか一つに記載の縦樋の支持構造。
【発明の詳細な説明】
【技術分野】
【０００１】
本発明は、例えば建物の屋根などからの雨水を集める軒樋に連結される縦樋を、建物の外壁に固定するための縦樋の支持構造に関するものである。
【背景技術】
【０００２】
従来、縦樋を建物の外壁に固定する構造として、例えば特許文献１に記載の構造や、掴み金物を用いた構造などが知られている。図５は掴み金物を用いた従来の縦樋の支持構造の一例を示す斜視図である。この図に示すように、従来の縦樋の支持構造は、縦樋１を保持するための保持部材２（樋掴み金物）と、建物の壁３に固定するための固定部材４とからなる。保持部材２は一対の半円状の保持片２Ａの一端どうしをヒンジ２Ｂにて回転自在に連結し、保持片２Ａの他端からそれぞれ鉛直板状の接続片２Ｃを一体に延出して形成したものである。接続片２Ｃにはそれぞれ前後方向に間隔をあけて２つの挿通孔２Ｄが設けてある。一方、固定部材４は、ステンレス製（または溶融亜鉛メッキの鋼材）の羽子板金具であり、鉛直板状の羽板部４Ａと、棒状の中間軸部４Ｂおよびねじ軸部４Ｃとからなる。各部４Ａ〜４Ｃはこの順序で軸線方向に一体に形成されている。羽板部４Ａには、長手方向に間隔をあけて２つの長孔からなる挿通孔４Ｄが設けてある。ねじ軸部４Ｃの外周面にはねじ溝が切られており、化粧座金部４Ｅが螺合している。このねじ軸部４Ｃは、予め壁３の定位置に固定された図示しないグリップアンカーなどのねじ穴に螺合するためのものである。
【０００３】
この支持構造で縦樋１を保持する場合は、まず、壁３の図示しないグリップアンカーなどのねじ穴にねじ軸部４Ｃをねじ込んで、羽板部４Ａを鉛直に立てて壁３から水平に突出した状態で壁３に取り付ける。次に、保持部材２の一対の保持片２Ａを開き、一対の保持片２Ａ間に縦樋１を通し、一対の保持片２Ａを閉じ、一対の接続片２Ｃで固定部材４の羽板部４Ａを挟む。そして接続片２Ｃの挿通孔２Ｄと羽板部４Ａの挿通孔４Ｄとを対応させ、一対の挿通孔２Ｄ、４Ｄと一対の挿通孔２Ｄ、４Ｄに一対のボルト５を挿通し、ボルト５の先端にナットを螺合してボルト５を締め付けることで締結する。このようにして壁３に上下に適当な間隔を隔てて支持構造が取り付けられ、支持構造にて縦樋１が保持される。
【先行技術文献】
【特許文献】
【０００４】
【特許文献１】特開２００７−２０５００７号公報
【発明の概要】
【発明が解決しようとする課題】
【０００５】
上述したように、従来の縦樋の支持構造は、鉛直板状の羽板部４Ａを一対の接続片２Ｃで挟み込むため、保持部材２と固定部材４の連結部分Ｓは鉛直板状となっている。この鉛直板状の連結部分Ｓは、鉛直板に垂直な水平方向Ｘ（横方向）の力に弱いため、台風などの横風に対して十分な強度を有していない場合は、部材が変形・破損して縦樋１から脱落し縦樋１を支持できなくなる等の安全性を損なうおそれがある。このため、横方向の曲げに強い簡単な構造が求められていた。
【０００６】
本発明は、上記に鑑みてなされたものであって、横方向の曲げに強い縦樋の支持構造を提供することを目的とする。
【課題を解決するための手段】
【０００７】
上記した課題を解決し、目的を達成するために、本発明に係る縦樋の支持構造は、縦樋を建物の壁に固定するための支持構造であって、縦樋を保持するための保持部材と、この保持部材と連結し、建物の壁に固定するための固定部材と、この保持部材と固定部材の少なくとも連結部分の外側に設けられ、少なくとも連結部分の横方向の曲げ剛性を高めるための補強部材とを備えることを特徴とする。
【０００８】
また、本発明に係る他の縦樋の支持構造は、上述した発明において、補強部材の建物の壁に平行な鉛直断面の形状は、連結部分を左右両側から挟み込むように左右に配置された一対のコの字状、連結部分の上または下から被せるように配置されたハット状、連結部分の周囲を囲む矩形状のいずれかの形状であることを特徴とする。
【０００９】
また、本発明に係る他の縦樋の支持構造は、上述した発明において、保持部材、固定部材、補強部材を一体的に連結する連結部材をさらに備えることを特徴とする。
【００１０】
また、本発明に係る他の縦樋の支持構造は、上述した発明において、保持部材は縦樋から壁に向けて延出する鉛直板状の一対の接続片を有するとともに、固定部材は鉛直板状の羽板部を有しており、羽板部と一対の接続片と補強部材にはそれぞれ対応する位置に挿通孔があけられており、連結部材は、羽板部を挟み込んだ一対の接続片とこれらの周囲を囲むように配置された補強部材とを、各挿通孔に挿通して連結することを特徴とする。
【００１１】
また、本発明に係る他の縦樋の支持構造は、上述した発明において、補強部材と連結部分との間に、補強部材と連結部分との間の隙間をなくすための調整部材をさらに備えることを特徴とする。
【発明の効果】
【００１２】
本発明に係る縦樋の支持構造によれば、縦樋を建物の壁に固定するための支持構造であって、縦樋を保持するための保持部材と、この保持部材と連結し、建物の壁に固定するための固定部材と、この保持部材と固定部材の少なくとも連結部分の外側に設けられ、少なくとも連結部分の横方向の曲げ剛性を高めるための補強部材とを備えるので、横方向の曲げに強い簡単な構造を得ることができる。このため、コストを抑えながら、連結部分の強度を向上させることができるという効果を奏する。また、同種の既存の縦樋にも適用可能であるので、新築のみならず改修工事にも活用できる。
【００１３】
また、本発明に係る他の縦樋の支持構造によれば、補強部材の建物の壁に平行な鉛直断面の形状は、連結部分を左右両側から挟み込むように左右に配置された一対のコの字状、連結部分の上または下から被せるように配置されたハット状、連結部分の周囲を囲む矩形状のいずれかの形状であるので、簡易な構造の補強部材によって横方向の曲げ剛性を容易に高めることができるという効果を奏する。
【００１４】
また、本発明に係る他の縦樋の支持構造によれば、保持部材、固定部材、補強部材を一体的に連結する連結部材をさらに備えるので、一体的に連結する連結部材によって、横方向の曲げ剛性をより高めることができるという効果を奏する。
【００１５】
また、本発明に係る他の縦樋の支持構造によれば、保持部材は縦樋から壁に向けて延出する鉛直板状の一対の接続片を有するとともに、固定部材は鉛直板状の羽板部を有しており、羽板部と一対の接続片と補強部材にはそれぞれ対応する位置に挿通孔があけられており、連結部材は、羽板部を挟み込んだ一対の接続片とこれらの周囲を囲むように配置された補強部材とを、各挿通孔に挿通して連結するので、羽板部を挟み込む一対の接続片の周囲に設けられる補強部材とこれらを連結する連結部材によって、横方向の曲げ剛性をより高めることができるという効果を奏する。また、従来の支持構造に容易に適用することが可能である。
【００１６】
また、本発明に係る他の縦樋の支持構造によれば、補強部材と連結部分との間に、補強部材と連結部分との間の隙間をなくすための調整部材をさらに備えるので、調整部材によって横方向の隙間がなくなり、横方向の曲げ剛性をより高めることができるという効果を奏する。
【図面の簡単な説明】
【００１７】
【図１】図１は、本発明に係る縦樋の支持構造の実施の形態を示す斜視図である。
【図２】図２は、本発明に係る縦樋の支持構造の実施の形態を示す図であり、（１）は上面図、（２）は（１）のＡ−Ａ線に沿った断面図（ただしボルト、ナットの図示を省略）、（３）は（１）のＢ−Ｂ線に沿った断面図である。
【図３】図３は、本発明に係る縦樋の支持構造の他の実施の形態を示す図であり、（１）は上面図、（２）は（１）のＡ−Ａ線に沿った断面図（ただしボルト、ナットの図示を省略）、（３）は（１）のＢ−Ｂ線に沿った断面図である。
【図４】図４は、本発明に係る縦樋の支持構造の施工手順の一例を示した図である。
【図５】図５は、従来の縦樋の支持構造の一例を示す斜視図である。
【発明を実施するための形態】
【００１８】
以下に、本発明に係る縦樋の支持構造の実施の形態を図面に基づいて詳細に説明する。なお、この実施の形態によりこの発明が限定されるものではない。
【００１９】
図１または図４に示すように、本発明の実施の形態に係る縦樋の支持構造１０は、縦樋１を保持するための保持部材１２と、建物の壁３に固定するための固定部材１４と、補強部材１６とを備える。
【００２０】
保持部材１２と固定部材１４は、上記の図５で説明した従来の縦樋の支持構造の保持部材２と固定部材４と同じ構成である。より具体的には、以下の部材構成となっている。
【００２１】
保持部材１２は、一対の半円状の保持片１２Ａの一端どうしをヒンジ１２Ｂにて回転自在に連結し、保持片１２Ａの他端からそれぞれ鉛直板状の一対の接続片１２Ｃを一体に延出して形成した樋掴み金物である。接続片１２Ｃにはそれぞれ前後方向に間隔をあけて２つの挿通孔１２Ｄが設けてある。なお、本実施の形態では、保持部材１２の寸法が例えば高さ２５mm、厚さ４.５mm、φ１６５mm程度であることを想定している。
【００２２】
固定部材１４は、ステンレス製（または溶融亜鉛メッキの鋼材）の羽子板金具であり、鉛直板状（羽子板状）の羽板部１４Ａと、棒状の中間軸部１４Ｂおよびねじ軸部１４Ｃとからなる。各部１４Ａ〜１４Ｃはこの順序で軸線方向に一体に形成されている。羽板部１４Ａには、長手方向に間隔をあけて２つの長孔からなる挿通孔１４Ｄが設けてある。ねじ軸部１４Ｃの外周面にはねじ溝が切られており、化粧座金部１４Ｅが螺合している。このねじ軸部１４Ｃは、予め壁３の定位置に固定された図示しないグリップアンカーなどのねじ穴に螺合するためのものである。なお、本実施の形態では、固定部材１４の寸法が例えば高さ２８mm×厚さ４mm、長さ８０mm程度であることを想定している。
【００２３】
固定部材１４の羽板部１４Ａは、保持部材１２の一対の接続片１２Ｃに左右両側から挟み込まれており、羽板部１４Ａと一対の接続片１２Ｃは、各挿通孔１２Ｄ、１４Ｄに挿通したボルト１８（連結部材）、ナット２０を介して連結される。この部分が保持部材１２と固定部材１４の連結部分Ｓとなる。なお、後述するように、このボルト１８、ナット２０は保持部材１２、固定部材１４、補強部材１６を一体的に連結する。
【００２４】
補強部材１６は、連結部分Ｓの横方向（水平方向）の曲げ剛性を高めるためのものであり、保持部材１２と固定部材１４の連結部分Ｓの外側に設けられ、例えばステンレスなどの金物で構成することができる。補強部材１６には、上記の羽板部１４Ａと一対の接続片１２Ｃの挿通孔１４Ｄ、１２Ｄに対応する位置に、長手方向に間隔をあけて２つの挿通孔１６Ａが設けてある。
【００２５】
補強部材１６の鉛直断面の形状は、図２に示すように、一対の接続片１２Ｃを左右両側から挟み込むように配置した一対のコの字状になっている。このように簡易な構造の補強部材１６を設けることによって、台風などによる横方向の力を受けても容易に変形しない程度の曲げ剛性を連結部分Ｓに付与する。これにより、連結部分Ｓの横方向の曲げ剛性を容易に高めることができる。
【００２６】
なお、補強部材１６の断面の形状はコの字状に限るものではなく、例えば図３に示すように、連結部分Ｓの上（または下）から被せて左右両側から挟み込むハット状、連結部分Ｓの周囲全体を囲む矩形状、あるいは、これら以外の任意の形状を採用することができる。このようにしても、簡易な構造の補強部材１６によって横方向の曲げ剛性を容易に高めることができる。
【００２７】
上述したように、保持部材１２、固定部材１４、補強部材１６はボルト１８、ナット２０を介して一体的に連結されている。コの字状断面の補強部材１６は、羽板部１４Ａを挟み込んだ一対の接続片１２Ｃと固定部材１４の中間軸部１４Ｂを跨ぐ態様でその左右外側に配置されている。このため、補強部材１６の前端は接続片１２Ｃの根元の近傍に位置し、補強部材１６の後端は中間軸部１４Ｂの後方にある化粧座金部１４Ｅの近傍に位置する状態になっている。そして、一対の接続片１２Ｃと羽板部１４Ａと補強部材１６は、各２つの挿通孔１２Ｄ、１４Ｄ、１６Ａとワッシャ２２に挿通したボルト１８の先端にワッシャ２４、ナット２０を螺合してボルト１８を締め付けることで締結されている。このように保持部材１２と固定部材１４の連結部分Ｓを横方向の曲げに強い補強材料１６で一体化すれば、横方向の曲げ剛性が高められる。
【００２８】
上記の縦樋の支持構造１０で縦樋１を保持する場合は、まず、図４（１）に示すように、壁３の図示しないグリップアンカーなどのねじ穴にねじ軸部１４Ｃをねじ込んで、羽板部１４Ａを鉛直に立てて壁３から水平に突出した状態で壁３に取り付ける。続いて、保持部材１２の一対の保持片１２Ａを開き、一対の保持片１２Ａ間に縦樋（不図示）を通し、一対の保持片１２Ａを閉じ、一対の接続片１２Ｃで固定部材１４の羽板部１４Ａを挟む。
【００２９】
次に、接続片１２Ｃ、中間軸部１４Ｂの左右両側にコの字状断面の補強部材１６を配置する。ここで、接続片１２Ｃと補強部材１６との間に厚み方向の隙間をなくすためのスペーサ２６（調整部材）を挿入してもよい。スペーサ２６は２つの挿通孔２６Ａを有する略楕円状の板材である。横方向の隙間をなくすことで、横方向の曲げ剛性をより高めることができる。そして接続片１２Ｃと羽板部１４Ａと補強部材１６とスペーサ２６の各挿通孔の位置を合わせ、図４（２）に示すように各挿通孔にボルト１８を挿通し、図４（３）、（４）に示すようにボルト１８の先端にナット２０を螺合してボルト１８を締め付けることで締結する。このようにして壁３に上下に適当な間隔を隔てて縦樋の支持構造１０が取り付けられ、この支持構造１０にて縦樋１が安定的に保持される。
【００３０】
ここで、本実施の形態の支持構造１０は、横方向の曲げに対して強くて簡単な構造であることから、コストを抑えながら、連結部分Ｓの強度を向上させることができる。このため、台風などの横風に対して変形・破損することなく縦樋１を低コストで安定的に支持することができる。
【００３１】
また、本発明は、既設の縦樋を補強改修する際に容易に適用可能である。本発明を既設の支持構造に適用することで、既存の建物設備の耐久性、耐候性、信頼性を低コストで容易に向上することができる。例えば、本実施の形態のように補強部材１６を既設の接続片１２Ｃの外側に設ける場合、既設の支持構造（例えば図５を参照）からボルト、ナットを取り外すことで、後付けで補強部材１６を設けることができる。このため、補強部材１６だけを用意しておけば、保持部材１２や固定部材１４の仕様を変更することなく補強部材１６を容易に設けることができる。また、連結部分Ｓのボルト、ナットだけを取り外して補強部材１６を取り付けることができるため、短時間で施工可能である。
【００３２】
以上説明したように、本発明に係る縦樋の支持構造によれば、縦樋を建物の壁に固定するための支持構造であって、縦樋を保持するための保持部材と、この保持部材と連結し、建物の壁に固定するための固定部材と、この保持部材と固定部材の少なくとも連結部分の外側に設けられ、少なくとも連結部分の横方向の曲げ剛性を高めるための補強部材とを備えるので、横方向の曲げに強い簡単な構造を得ることができる。このため、コストを抑えながら、連結部分の強度を向上させることができる。また、同種の既存の縦樋にも適用可能であるので、新築のみならず改修工事にも活用できる。
【００３３】
また、本発明に係る他の縦樋の支持構造によれば、補強部材の建物の壁に平行な鉛直断面の形状は、連結部分を左右両側から挟み込むように左右に配置された一対のコの字状、連結部分の上または下から被せるように配置されたハット状、連結部分の周囲を囲む矩形状のいずれかの形状であるので、簡易な構造の補強部材によって横方向の曲げ剛性を容易に高めることができる。
【００３４】
また、本発明に係る他の縦樋の支持構造によれば、保持部材、固定部材、補強部材を一体的に連結する連結部材をさらに備えるので、一体的に連結する連結部材によって、横方向の曲げ剛性をより高めることができる。
【００３５】
また、本発明に係る他の縦樋の支持構造によれば、保持部材は縦樋から壁に向けて延出する鉛直板状の一対の接続片を有するとともに、固定部材は鉛直板状の羽板部を有しており、羽板部と一対の接続片と補強部材にはそれぞれ対応する位置に挿通孔があけられており、連結部材は、羽板部を挟み込んだ一対の接続片とこれらの周囲を囲むように配置された補強部材とを、各挿通孔に挿通して連結するので、羽板部を挟み込む一対の接続片の周囲に設けられる補強部材とこれらを連結する連結部材によって、横方向の曲げ剛性をより高めることができる。また、従来の支持構造に容易に適用することが可能である。
【００３６】
また、本発明に係る他の縦樋の支持構造によれば、補強部材と連結部分との間に、補強部材と連結部分との間の隙間をなくすための調整部材をさらに備えるので、調整部材によって横方向の隙間がなくなり、横方向の曲げ剛性をより高めることができる。
【産業上の利用可能性】
【００３７】
以上のように、本発明に係る縦樋の支持構造は、建物の屋根などからの雨水を集める軒樋に連結される縦樋を、建物の外壁に固定する支持構造に有用であり、特に、横方向の曲げに対して強くて簡単な構造であることから、台風などの横風に対して変形・破損することなく縦樋を低コストで安定的に支持するのに適している。
【符号の説明】
【００３８】
１  縦樋
３  壁
１０  縦樋の支持構造
１２  保持部材
１２Ａ  保持片
１２Ｂ  ヒンジ
１２Ｃ  接続片
１２Ｄ，１４Ｄ，１６Ａ，２６Ａ  挿通孔
１４  固定部材
１４Ａ  羽板部
１４Ｂ  中間軸部
１４Ｃ  ねじ軸部
１４Ｅ  化粧座金部
１６  補強部材
１８  ボルト（連結部材）
２０  ナット
２２，２４  ワッシャ
２６  スペーサ（調整部材）
Ｓ  連結部分
【図１】
2018053503.tif 000003
【図２】
2018053503.tif 000004
【図３】
2018053503.tif 000005
【図４】
2018053503.tif 000006
【図５】
2018053503.tif 000007